(57)【要約】【課題】原稿に対応しリムーバブルメディアへの転送に失敗した画像データを転送先装置へ転送することのできる画像読取装置を提供する。【解決手段】画像読取装置は、読取対象の原稿に対応する画像データを生成する生成手段と、接続手段に接続されたリムーバブルメディアに対し原稿に対応する画像データを転送する転送手段と、転送に失敗した画像データの転送にかかわるジョブ毎に当該画像データを保存する保存手段と、保存手段に保存された画像データの保存先情報を含むジョブ履歴情報を記憶する記憶手段と、記憶手段に記憶されている一つ以上のジョブ履歴情報の中の指定されるジョブ履歴情報にかかわる画像データを保存手段から読み出し、該読み出した画像データの転送先装置への転送処理を実行する実行手段と、を備える。【選択図】図１
2011029681.tif 000002
【特許請求の範囲】
【請求項１】
接続手段に着脱するように接続されたリムーバブルメディアに対し原稿の読み取りの結果に対応する画像データを転送する転送手段と、
前記転送手段による画像データの転送に失敗した場合の当該画像データの転送にかかわるジョブ毎に当該画像データを保存する保存手段と、
前記保存手段に保存された画像データの保存先情報を含み前記ジョブに関するジョブ履歴情報を記憶する記憶手段と、
前記記憶手段に記憶されている一つ以上のジョブ履歴情報の中の指定されるジョブ履歴情報にかかわる画像データを前記保存手段から読み出し、該読み出した画像データの転送先装置への転送処理を実行する実行手段と、
を有することを特徴とする画像処理装置。
【請求項２】
通信回線を介して接続される前記転送先装置との間で通信する通信手段と、
前記通信手段を介して、前記転送先装置から送信されたジョブ履歴一覧の送信要求を取得するとともに前記転送先装置から送信され当該転送先装置が受信したジョブ履歴一覧の中からユーザによって指定される特定のジョブ履歴の項目を取得する取得手段と、
を更に備え、
前記実行手段は、
前記取得手段が前記送信要求を取得したときは、前記記憶手段に記憶されている前記一つ以上のジョブ履歴情報に関するジョブ履歴一覧を前記転送先装置へ送信するよう前記通信手段を制御するとともに、
前記取得手段が前記特定のジョブ履歴の項目を取得したときは、当該特定のジョブ履歴の項目に対応するジョブ履歴情報に含まれる上記保存先情報に基づく画像データを前記保存手段から読み出し、該読み出したデータを前記転送先装置へ転送するよう前記通信手段を制御する、
ことを特徴とする請求項１に記載の画像処理装置。
【請求項３】
通信回線を介して接続される前記転送先装置との間で通信する通信手段と、
前記通信手段を介して、前記転送先装置から送信されたジョブ履歴一覧の送信要求を取得するとともに、前記転送先装置から送信され当該転送先装置が受信したジョブ履歴一覧の中の前記保存先情報を含む特定のジョブ履歴の詳細内容に対応してユーザによって指示される当該特定のジョブ履歴にかかわる画像データを転送すべき旨を取得する取得手段と、
を更に備え、
前記実行手段は、
前記取得手段が前記送信要求を取得したときは、前記記憶手段に記憶されている前記一つ以上のジョブ履歴情報に関するジョブ履歴一覧を前記転送先装置へ送信するよう前記通信手段を制御するとともに、
前記取得手段が前記特定のジョブ履歴にかかわる画像データを転送すべき旨を取得したときは、当該特定のジョブ履歴に対応するジョブ履歴情報に含まれる前記保存先情報に基づく画像データを前記保存手段から読み出し、該読み出したデータを前記転送先装置へ転送するよう前記通信手段を制御する、
ことを特徴とする請求項１に記載の画像処理装置。
【請求項４】
前記接続手段に前記転送先装置としての新規のリムーバブルメディアが接続され場合に、ユーザによるジョブ履歴一覧の提示要求を受け付ける第１の受付手段と、
前記提示要求に応じて提示されるジョブ履歴一覧の中から前記ユーザによって指定される特定のジョブ履歴の項目を受け付ける第２の受付手段と、
を更に備え、
前記実行手段は、
前記第１の受付手段が前記提示要求を受け付けたときは、前記記憶手段に記憶されている前記一つ以上のジョブ履歴情報に関するジョブ履歴一覧をユーザに対し提示する処理を実行するとともに、
前記第２の受付手段が前記特定のジョブ履歴の項目を受け付けたときは、当該特定のジョブ履歴の項目に対応するジョブ履歴情報に含まれる上記保存先情報に基づく画像データを前記保存手段から読み出し、該読み出したデータを前記新規のリムーバブルメディアへ転送する処理を実行する、
ことを特徴とする請求項１〜３の何れか一項に記載の画像処理装置。
【請求項５】
前記接続手段に前記転送先装置としての新規のリムーバブルメディアが接続された場合に、ユーザによるジョブ履歴一覧の提示要求を受け付ける第１の受付手段と、
前記提示要求に応じて提示されるジョブ履歴一覧の中の前記保存先情報を含む特定のジョブ履歴の詳細内容に対応してユーザによって指示される当該特定のジョブ履歴にかかわる画像データを転送すべき旨を受け付ける第２の受付手段と、
を更に備え、
前記実行手段は、
前記第１の受付手段が前記提示要求を受け付けたときは、前記記憶手段に記憶されている前記一つ以上のジョブ履歴情報に関するジョブ履歴一覧をユーザに対し提示する処理を実行するとともに、
前記第２の受付手段が前記特定のジョブ履歴にかかわる画像データを転送すべき旨を受け付けたときは、当該特定のジョブ履歴に対応するジョブ履歴情報に含まれる前記保存先情報に基づく画像データを前記保存手段から読み出し、該読み出したデータを前記新規のリムーバブルメディアへ転送する処理を実行する、
ことを特徴とする請求項１〜３の何れか一項に記載の画像処理装置。
【請求項６】
読取対象の原稿を光学的に読み取り、該読み取りの結果に対応する画像データを生成する生成手段と、
請求項１乃至請求項５の何れか一項に記載の画像処理装置と、
を有することを特徴とする画像読取装置。
【請求項７】
読取対象の原稿を光学的に読み取り、該読み取りの結果に対応する画像データを生成する生成手段と、
請求項１乃至請求項５の何れか一項に記載の画像処理装置と、
前記生成手段によって生成された画像データまたは情報処理装置から出力され印刷要求されたデータを画像形成する画像形成手段と、
を有することを特徴とする画像形成装置。
【請求項８】
着脱するように装着されるリムーバブルメディアに対し原稿の読み取りの結果に対応する画像データを転送する転送処理過程と、
前記転送処理過程による画像データの転送に失敗した場合の当該画像データの転送にかかわるジョブ毎に当該画像データを保存手段に保存させる保存処理過程と、
前記保存手段に保存された画像データの保存先情報を含み前記ジョブに関するジョブ履歴情報を記憶手段に記憶させる記憶処理過程と、
前記記憶手段に記憶されている一つ以上のジョブ履歴情報の中の指定されるジョブ履歴情報にかかわる画像データを前記保存手段から読み出し、該読み出した画像データの転送先装置への転送処理を実行する実行処理過程と、
をコンピュータに実行させることを特徴とする画像処理プログラム。
【発明の詳細な説明】
【技術分野】
【０００１】
本発明は、画像処理装置、画像読取装置、画像形成装置、画像処理プログラムに関するものである。
【背景技術】
【０００２】
スキャナなど画像読取装置には、ＵＳＢ（Ｕｎｉｖｅｒｓａｌ  Ｓｅｒｉａｌ  Ｂｕｓ：周辺装置用シリアルインタフェース）フラッシュメモリが接続されるＵＳＢポートを備えているものもある。このような画像読取装置では、原稿を読み取った画像データ（原稿をスキャンしたデータ）をＵＳＢポートに接続されたＵＳＢフラッシュメモリに格納する機能を有している。
【０００３】
なお、原稿を読み取った画像データを外部メモリに格納する画像読取装置としては、例えば、特許文献１に記載されたものが知られている。
【先行技術文献】
【特許文献】
【０００４】
【特許文献１】特開２００３−２９８７９８号公報
【発明の概要】
【発明が解決しようとする課題】
【０００５】
本発明は、原稿に対応しリムーバブルメディアへの転送に失敗した画像データを転送先装置へ転送することのできる画像処理装置、画像読取装置、画像形成装置、画像処理プログラムを提供することを目的とする。
【課題を解決するための手段】
【０００６】
上記課題を解決するため、請求項１に記載の本発明の画像処理装置は、接続手段に着脱するように接続されたリムーバブルメディアに対し原稿の読み取りの結果に対応する画像データを転送する転送手段と、前記転送手段による画像データの転送に失敗した場合の当該画像データの転送にかかわるジョブ毎に当該画像データを保存する保存手段と、前記保存手段に保存された画像データの保存先情報を含み前記ジョブに関するジョブ履歴情報を記憶する記憶手段と、前記記憶手段に記憶されている一つ以上のジョブ履歴情報の中の指定されるジョブ履歴情報にかかわる画像データを前記保存手段から読み出し、該読み出した画像データの転送先装置への転送処理を実行する実行手段と、を有することを特徴とする。
【０００７】
請求項２に記載の発明は、上記請求項１に記載の発明において、通信回線を介して接続される前記転送先装置との間で通信する通信手段と、前記通信手段を介して、前記転送先装置から送信されたジョブ履歴一覧の送信要求を取得するとともに前記転送先装置から送信され当該転送先装置が受信したジョブ履歴一覧の中からユーザによって指定される特定のジョブ履歴の項目を取得する取得手段と、を更に備え、前記実行手段は、前記取得手段が前記送信要求を取得したときは、前記記憶手段に記憶されている前記一つ以上のジョブ履歴情報に関するジョブ履歴一覧を前記転送先装置へ送信するよう前記通信手段を制御するとともに、前記取得手段が前記特定のジョブ履歴の項目を取得したときは、当該特定のジョブ履歴の項目に対応するジョブ履歴情報に含まれる上記保存先情報に基づく画像データを前記保存手段から読み出し、該読み出したデータを前記転送先装置へ転送するよう前記通信手段を制御する、ことを特徴とする。
【０００８】
請求項３に記載の発明は、上記請求項１に記載の発明において、通信回線を介して接続される前記転送先装置との間で通信する通信手段と、前記通信手段を介して、前記転送先装置から送信されたジョブ履歴一覧の送信要求を取得するとともに、前記転送先装置から送信され当該転送先装置が受信したジョブ履歴一覧の中の前記保存先情報を含む特定のジョブ履歴の詳細内容に対応してユーザによって指示される当該特定のジョブ履歴にかかわる画像データを転送すべき旨を取得する取得手段と、を更に備え、前記実行手段は、前記取得手段が前記送信要求を取得したときは、前記記憶手段に記憶されている前記一つ以上のジョブ履歴情報に関するジョブ履歴一覧を前記転送先装置へ送信するよう前記通信手段を制御するとともに、前記取得手段が前記特定のジョブ履歴にかかわる画像データを転送すべき旨を取得したときは、当該特定のジョブ履歴に対応するジョブ履歴情報に含まれる前記保存先情報に基づく画像データを前記保存手段から読み出し、該読み出したデータを前記転送先装置へ転送するよう前記通信手段を制御する、ことを特徴とする。
【０００９】
請求項４に記載の発明は、上記請求項１〜３の何れか一項に記載の発明において、前記接続手段に前記転送先装置としての新規のリムーバブルメディアが接続され場合に、ユーザによるジョブ履歴一覧の提示要求を受け付ける第１の受付手段と、前記提示要求に応じて提示されるジョブ履歴一覧の中から前記ユーザによって指定される特定のジョブ履歴の項目を受け付ける第２の受付手段と、を更に備え、前記実行手段は、前記第１の受付手段が前記提示要求を受け付けたときは、前記記憶手段に記憶されている前記一つ以上のジョブ履歴情報に関するジョブ履歴一覧をユーザに対し提示する処理を実行するとともに、前記第２の受付手段が前記特定のジョブ履歴の項目を受け付けたときは、当該特定のジョブ履歴の項目に対応するジョブ履歴情報に含まれる上記保存先情報に基づく画像データを前記保存手段から読み出し、該読み出したデータを前記新規のリムーバブルメディアへ転送する処理を実行する、ことを特徴とする。
【００１０】
請求項５に記載の発明は、上記請求項１〜３の何れか一項に記載の発明において、前記接続手段に前記転送先装置としての新規のリムーバブルメディアが接続された場合に、ユーザによるジョブ履歴一覧の提示要求を受け付ける第１の受付手段と、前記提示要求に応じて提示されるジョブ履歴一覧の中の前記保存先情報を含む特定のジョブ履歴の詳細内容に対応してユーザによって指示される当該特定のジョブ履歴にかかわる画像データを転送すべき旨を受け付ける第２の受付手段と、を更に備え、前記実行手段は、前記第１の受付手段が前記提示要求を受け付けたときは、前記記憶手段に記憶されている前記一つ以上のジョブ履歴情報に関するジョブ履歴一覧をユーザに対し提示する処理を実行するとともに、
【００１１】
前記第２の受付手段が前記特定のジョブ履歴にかかわる画像データを転送すべき旨を受け付けたときは、当該特定のジョブ履歴に対応するジョブ履歴情報に含まれる前記保存先情報に基づく画像データを前記保存手段から読み出し、該読み出したデータを前記新規のリムーバブルメディアへ転送する処理を実行する、ことを特徴とする。
【００１２】
上記課題を解決するため、請求項６に記載の本発明の画像読取装置は、読取対象の原稿を光学的に読み取り、該読み取りの結果に対応する画像データを生成する生成手段と、請求項１乃至請求項５の何れか一項に記載の画像処理装置と、を有することを特徴とする。
【００１３】
上記課題を解決するため、請求項７に記載の本発明の画像形成装置は、読取対象の原稿を光学的に読み取り、該読み取りの結果に対応する画像データを生成する生成手段と、請求項１乃至請求項５の何れか一項に記載の画像処理装置と、前記生成手段によって生成された画像データまたは情報処理装置から出力され印刷要求されたデータを画像形成する画像形成手段と、を有することを特徴とする。
【００１４】
上記課題を解決するため、請求項８に記載の本発明の画像処理プログラムは、着脱するように装着されるリムーバブルメディアに対し原稿の読み取りの結果に対応する画像データを転送する転送処理過程と、前記転送処理過程による画像データの転送に失敗した場合の当該画像データの転送にかかわるジョブ毎に当該画像データを保存手段に保存させる保存処理過程と、前記保存手段に保存された画像データの保存先情報を含み前記ジョブに関するジョブ履歴情報を記憶手段に記憶させる記憶処理過程と、前記記憶手段に記憶されている一つ以上のジョブ履歴情報の中の指定されるジョブ履歴情報にかかわる画像データを前記保存手段から読み出し、該読み出した画像データの転送先装置への転送処理を実行する実行処理過程と、をコンピュータに実行させることを特徴とする。
【発明の効果】
【００１５】
請求項１記載の発明によれば、原稿に対応しリムーバブルメディアへの転送に失敗した画像データを転送先装置へ転送することができる。
【００１６】
請求項２記載の発明によれば、原稿に対応しリムーバブルメディアへの転送に失敗した画像データを通信回線を介して接続される転送先装置に転送することができる。
【００１７】
請求項３記載の発明によれば、ユーザによる転送すべき旨の指示があった場合に、原稿に対応しリムーバブルメディアへの転送に失敗した画像データを通信回線を介して接続される転送先装置に転送することができる。
【００１８】
請求項４記載の発明によれば、原稿に対応しリムーバブルメディアへの転送に失敗した画像データを転送先装置としての新規のリムーバブルメディアに転送することができる。
【００１９】
請求項５記載の発明によれば、ユーザによる転送すべき旨の指示があった場合に、原稿に対応しリムーバブルメディアへの転送に失敗した画像データを転送先装置としての新規のリムーバブルメディアに転送することができる。
【００２０】
請求項６記載の発明によれば、原稿に対応しリムーバブルメディアへの転送に失敗した画像データを転送先装置へ転送することができる。
【００２１】
請求項７記載の発明によれば、原稿に対応しリムーバブルメディアへの転送に失敗した画像データを転送先装置へ転送することができる。
【００２２】
請求項８記載の発明によれば、原稿に対応しリムーバブルメディアへの転送に失敗した画像データを転送先装置へ転送させるソフトウェアを提供することができる。
【図面の簡単な説明】
【００２３】
【図１】第１の実施の形態に係る画像読取装置の機能構成を示すブロック図である。
【図２】第１の実施の形態に係る画像読取装置による画像データの蓄積処理および転送処理の処理手順を示すフローチャートである。
【図３】第１の実施の形態に係る画像読取装置による通信回線に接続された転送先装置への画像データの転送処理の処理手順を示すフローチャートである。
【図４】第１の実施の形態に係る画像読取装置のジョブ履歴作成部によって作成されるジョブ履歴情報のデータ構造の一例を示す図である。
【図５】第１の実施の形態に係わるジョブ履歴一覧の表示例を示す図である。
【図６】第１の実施の形態に係わるジョブ履歴一覧における特定のジョブ履歴の詳細な内容の表示例を示す図である。
【図７】第２の実施の形態に係る画像読取装置によるリムーバブルメディアへの画像データの転送処理（再転送）の処理手順を示すフローチャートである。
【図８】第１の実施の形態および第２の実施の形態に係る画像読取装置のハードウェア構成を示す構成図である。
【図９】第３の実施の形態に係る画像形成装置の機能構成を示すブロック図である。
【発明を実施するための形態】
【００２４】
以下、本発明の一例としての実施の形態について、図面に基づいて詳細に説明する。なお、実施の形態を説明するための図面において、同一の構成要素には原則として同一の符号を付し、その繰り返しの説明は省略する。
【００２５】
（第１の実施の形態）
【００２６】
第１の実施の形態に係る画像読取装置について説明する。
【００２７】
画像読取装置１０は、図１に示すように、操作パネル１０１、生成部１０２を有する原稿読取部１０３、設定部１１０、画像処理部１２０、制御部１３０、記憶部１４０、ファイルフォーマット生成部１５０、リムーバブルメディア接続部１６０および通信部１７０を有している。これら各構成要素は、システムバス１０４に接続されている。
【００２８】
また、第１の実施の形態では、設定部１１０、画像処理部１２０、制御部１３０、記憶部１４０、ファイルフォーマット生成部１５０、リムーバブルメディア接続部１６０および通信部１７０は、画像処理装置１００を構成する。
【００２９】
操作パネル１０１は、表示情報を表示する機能（表示部）と入力情報を入力する機能（入力部）とを有している。
【００３０】
表示する機能（表示部）は、例えば、原稿に対応するデータをカラーデータとするカラーモードを示すパラメータ、原稿に対応するデータについてのファイルフォーマット（ファイル形式）を示すフォーマットに関するパラメータ、原稿に対応する画像データをリムーバブルメディアに転送する旨の転送指示（以下「画像データ転送指示」という。）、ジョブ履歴一覧の提示要求、特定のジョブ履歴の項目などを設定（あるいは選択）するとともにジョブ履歴一覧を提示（表示）するためのユーザインタフェース画面、エラーメッセージなど表示情報を表示する。
【００３１】
入力する機能（入力部）は、上記表示されたユーザインタフェース画面に対して設定される各パラメータ、画像データ転送指示、ジョブ履歴一覧の提示要求、特定のジョブ履歴の項目を設定あるいは選択するとともに、原稿の読み込み（スキャン）の開始指示（以下「原稿読込開始指示」という。）など入力情報を入力する。なお、原稿読込開始指示は、前記入力部に備えられているスタートボタンを押下することにより行われる。
【００３２】
ユーザインタフェース画面に対して設定された各パラメータ、画像データ転送指示、ジョブ履歴一覧の提示要求、特定のジョブ履歴の項目は、操作パネル１０１から制御部１３０に与えられる。また、原稿読込開始指示は操作パネル１０１から原稿読取部１０３に与えられる。
【００３３】
生成部１０２は、生成手段の機能を有し、原稿読込開始指示に従って、読取対象の原稿を光学的に読み取り、該読み取りの結果を基に画像データを生成する。具体的には、生成部１０２は、原稿に光を照射しながら走査し、反射光をＣＣＤ（Ｃｈａｒｇｅ  Ｃｏｕｐｌｅｄ  Ｄｅｖｉｃｅｓ）等の撮像素子で読み取り、該読み取りの結果（アナログ信号）を画像データ（デジタル信号）に変換する。
【００３４】
原稿読取部１０３は、生成部２２０によって生成された画像データを画像処理装置１００の制御部１３０へ出力する。
【００３５】
設定部１１０は、第１の受付部１１１、第２の受付部１１２および記憶部１１３を有している。
【００３６】
第１の受付部１１１は、第１の受付手段の機能を有し、接続手段として機能するリムーバブルメディア接続部１６０に転送先装置としてのリムーバブルメディア２００が装着された場合に、ユーザによるジョブ履歴一覧の提示要求を受け付ける。この提示要求は、ユーザが操作パネル１０１の入力部を操作することにより行われる。なお、ジョブ履歴一覧の詳細については後述する。リムーバブルメディア２００としては、ＵＳＢフラッシュメモリなどメモリカードが挙げられる。
【００３７】
第２の受付部１１２は、第２の受付手段の機能を有し、上記提示要求に応じて提示されるジョブ履歴一覧の中からユーザによって指定される特定のジョブ履歴の項目を受け付ける。ジョブ履歴一覧は操作パネル１０１の表示部に表示され、特定のジョブ履歴の項目の指定はユーザが操作パネル１０１の入力部を操作することにより行われる。
【００３８】
また、第２の受付部１１２は、上記提示要求に応じて提示されるジョブ履歴一覧の中の保存先情報を含む特定のジョブ履歴の詳細内容に対応してユーザによって指示される当該特定のジョブ履歴にかかわる画像データを転送すべき旨を受け付ける。特定のジョブ履歴の詳細内容（保存先情報を含む）は操作パネル１０１の表示部に表示され、特定のジョブ履歴にかかわる画像データを転送すべき旨は、ユーザが操作パネル１０１の入力部を操作することにより行われる。
【００３９】
なお、ジョブ履歴一覧および特定のジョブ履歴の詳細内容の詳細については後述する（図５および図６参照）。
【００４０】
また、設定部１１０は、パラメータ、画像データ転送指示を示す情報を受け付け、これら受け付けた情報のうち、パラメータはファイルフォーマット生成部１５０へ出力し、画像データ転送指示については制御部１３０へ出力する。
【００４１】
画像処理部１２０は、予め決められた画像処理を実施する。
【００４２】
記憶部１４０は、ハードディスクまたはメモリで構成され、原稿読取部１０３からの画像データを記憶するとともに、ファイルフォーマット生成部１５０によって生成されたファイルフォーマット処理後の画像データを記憶する。
【００４３】
また、記憶部１４０は、保存手段の機能を有し、制御部１３０の転送部１３１による画像データの転送に失敗した場合の当該画像データの転送にかかわるジョブ毎に当該画像データを保存する。
【００４４】
さらに、記憶部１４０は、記憶手段の機能を有し、当該記憶部１４０に保存された画像データの保存先情報を含み上記ジョブに関するジョブ履歴情報を記憶する。
【００４５】
すなわち、記憶部１４０には、新規の画像データ（原稿読取部１０３からの画像データおよびファイルフォーマット処理後の画像データ）を記憶する第１の記憶領域と、転送に失敗した画像データを保存する第２の記憶領域と、転送に失敗した画像データの転送にかかわるジョブ毎のジョブ履歴情報を記憶する第３の記憶領域とが割り当てられている。
【００４６】
第１の実施の形態では、上記第１の記憶領域と上記第２の記憶領域とは同じ記憶領域であるとし、例えば第１の記憶領域に記憶された新規の画像データの転送に失敗した場合は、当該新規の画像データは転送に失敗した画像データとしてそのまま当該第１の記憶領域に保存されるようになっている。
【００４７】
なお、この場合、新規の画像データが記憶される第１の記憶領域と転送に失敗した画像データが保存される第１の記憶領域（本来は第２の記憶領域）とを明確に区別するために、転送に失敗した画像データが保存される第１の記憶領域を第１の記憶領域（第２の記憶領域）と表記することとする。
【００４８】
もちろん、上記第１の記憶領域に記憶された新規の画像データの転送に失敗した場合に、当該新規の画像データを上記第１の記憶領域とは異なる上記第２の記憶領域に移動させて、転送に失敗した画像データとして保存するようにしてもよい。
【００４９】
また、第１の実施の形態では、記憶部１４０の第１の記憶領域に記憶されているファイルフォーマット処理後の画像データを転送対象とするものとする。もちろん、ファイルフォーマット処理前の画像データ（原稿読取部１０３からの画像データ）を転送対象としてもよい。
【００５０】
制御部１３０は、転送部１３１、ジョブ履歴作成部１３２、実行部１３３および取得部１３４を有している。
【００５１】
転送部１３１は、転送手段の機能を有し、設定部１１０の記憶部１１３に画像データ転送指示を示す情報が記憶されているときは、リムーバブルメディア接続部１６０に着脱するように接続（装着）されたリムーバブルメディア２００に対し、記憶部１４０の第１の記憶領域に記憶されたファイルフォーマット処理後の転送対象の画像データ（原稿の読み取りの結果に対応する画像データ）を転送する。
【００５２】
すなわち、転送部１３１は、原稿読取部１０３で読み込んだ画像データ（第１の実施の形態ではファイルフォーマット処理後の画像データ）をリムーバブルメディア接続部１６０に接続されるリムーバブルメディアに転送するスキャントゥメディア（ＳｃａｎＴｏＭｅｄｉａ）機能を有している。
【００５３】
なお、制御部１３０は、上述した原稿読取部１０３で読み込んだ画像データをリムーバブルメディア接続部１６０に接続されるリムーバブルメディアに転送するスキャントゥメディア（ＳｃａｎＴｏＭｅｄｉａ）機能に加えて、原稿読取部１０３で読み込んだ画像データをメールに添付して指定の宛先に送信するスキャントゥメール機能（ＳｃａｎＴｏＥｍａｉｌ）など、読み込んだ画像データに対する予め決められた複数の処理の中の指定される処理を実施する機能を有している。
【００５４】
ジョブ履歴作成部１３２は、画像データの転送にかかわるジョブ毎に当該ジョブに関するジョブ履歴を作成するとともに、ジョブ毎に作成したジョブ履歴情報を記憶部１４０の第３の記憶領域に記憶する。また、ジョブ履歴作成部１３２は、転送部１３１による画像データの転送に失敗したときは、記憶部１４０の第１の記憶領域（第２の記憶領域）に保存された画像データ（転送に失敗した画像データ）の保存先情報を含み当該画像データの転送にかかわるジョブに関するジョブ履歴を作成し、このジョブ履歴情報を記憶部１４０の第３の記憶領域に記憶する。
【００５５】
実行部１３３は、実行手段の機能を有し、記憶部１４０の第３の記憶領域に記憶されている一つ以上のジョブ履歴情報の中の指定されるジョブ履歴情報にかかわる画像データを記憶部１４０の第１の記憶領域（第２の記憶領域）から読み出し、該読み出した画像データの転送先装置への転送処理を実行する。
【００５６】
また、実行部１３３は、取得部１３４が後述する送信要求を取得したときは、記憶部１４０の第３の記憶領域に記憶されている一つ以上のジョブ履歴情報に関するジョブ履歴一覧を転送先装置へ送信するよう通信部１７０を制御するとともに、取得部１３４が後述する特定のジョブ履歴の項目を取得したときは、当該特定のジョブ履歴の項目に対応するジョブ履歴情報に含まれる上記保存先情報に基づく画像データを記憶部１４０の第１の記憶領域（第２の記憶領域）から読み出し、該読み出したデータを転送先装置へ転送するよう通信部１７０を制御する。
【００５７】
また、実行部１３３は、取得部１３４が特定のジョブ履歴にかかわる画像データを転送すべき旨を取得したときは、当該特定のジョブ履歴に対応するジョブ履歴情報に含まれる保存先情報に基づく画像データを記憶部１４０の第１の記憶領域（第２の記憶領域）から読み出し、該読み出したデータを転送先装置へ転送するよう通信部１７０を制御する。
【００５８】
また、実行部１３３は、第１の受付部１１１が提示要求を受け付けたときは、記憶部１４０の第３の記憶領域に記憶されている一つ以上のジョブ履歴情報に関するジョブ履歴一覧をユーザに対し提示する処理を実行するとともに、第２の受付部１１２が特定のジョブ履歴の項目を受け付けたときは、当該特定のジョブ履歴の項目に対応するジョブ履歴情報に含まれる上記保存先情報に基づく画像データを記憶部１４０の第１の記憶領域（第２の記憶領域）から読み出し、該読み出したデータを転送先装置としてのリムーバブルメディアへ転送するよう転送部１３１を制御する。
【００５９】
さらに、実行部１３３は、第２の受付部１１２が特定のジョブ履歴にかかわる画像データを転送すべき旨を受け付けたときは、当該特定のジョブ履歴に対応するジョブ履歴情報に含まれる保存先情報に基づく画像データを記憶部１４０の第１の記憶領域（第２の記憶領域）から読み出し、該読み出したデータを転送先装置としての新規のリムーバブルメディアへ転送する処理を実行する。
【００６０】
なお、上述した制御部１３０は、原稿読取部１０３からの画像データを記憶部１４０の第１の記憶領域に記憶する。
【００６１】
取得部１３４は、取得手段の機能を有し、通信部１７０を介して、転送先装置から送信されたジョブ履歴一覧の送信要求を取得するとともに当該転送先装置から送信され当該転送先装置が受信したジョブ履歴一覧の中からユーザによって指定される特定のジョブ履歴の項目を取得する。
【００６２】
また、取得部１３４は、転送先装置から送信され当該転送先装置が受信したジョブ履歴一覧の中の保存先情報を含む特定のジョブ履歴の詳細内容に対応してユーザによって指示される当該特定のジョブ履歴にかかわる画像データを転送すべき旨を取得する。
【００６３】
ファイルフォーマット生成部１５０は、記憶部１４０の第１の記憶領域に記憶されている画像データを、設定部１１０の記憶部１１３に記憶されているパラメータ（フォーマットに関するパラメータ）に従ったファイルフォーマット（ファイル形式）のデータに変換する。例えば、ファイルフォーマットに関するパラメータとしてＰＤＦ（Ｐｏｒｔａｂｌｅ  Ｄｏｃｕｍｅｎｔ  Ｆｏｒｍａｔ）が指定されている場合、前記画像データはパラメータに従ってＰＤＦ形式の画像データに変換される。このようにしてファイルフォーマット処理が施された画像データは、記憶部１４０の第１の記憶領域における原稿読取部１０３からの画像データが記憶されている記憶領域とは異なる記憶領域に記憶される。
【００６４】
リムーバブルメディア接続部１６０は、接続手段の機能を有し、転送先装置としてのリムーバブルメディア２００が着脱するように接続（装着）され、制御１３０から出力される画像データを、当該接続部に接続されたリムーバブルメディア２００に転送する。また、リムーバブルメディア接続部１６０は、制御部１３０（の転送部１３１）からの画像データのリムーバブルメディア２００への転送が成功したか否かの結果を制御部１３０へ通知する。
【００６５】
通信部１７０は、通信手段の機能を有し、通信回線３１０を介して接続される転送先装置としてのコンピュータ３００との間で通信する。通信回線３１０としては、ローカルエリアネットワーク（ＬＡＮ＝Ｌｏｃａｌ  Ａｒｅａ  Ｎｅｔｗｏｒｋ）や電話回線などの有線通信回線、無線ＬＡＮなどの無線通信回線、さらには、これらの通信回線を組み合わせたもの、などが挙げられる。
【００６６】
コンピュータ３００は、図示しない入力装置、表示装置および記憶装置を有している。
【００６７】
次に、画像読取装置１０による画像データの蓄積処理および転送処理について、図２を参照して説明する。
【００６８】
ユーザは、リムーバブルメディア２００を画像読取装置１０のリムーバブルメディア接続部１６０に接続（装着）するとともに、読取対象の原稿を画像読取装置１０の図示しない原稿台に載せる。その後、ユーザは、操作パネル１０１を操作して、原稿に対応する画像データを転送先装置としてのリムーバブルメディア２００へ転送させる旨の画像データ転送指示、原稿を読み込ませる旨の原稿読込開始指示を行う。前記画像データ転送指示は制御部１３０に与えられ、前記原稿読込開始指示は原稿読取部１０３に与えられる。
【００６９】
図２に示すように、制御部１３０は操作パネル１０１からの画像データ転送指示を取得するとともに、原稿読取部１０３は原稿読込開始指示を取得する（ステップＳ１０１）。
【００７０】
また、制御部１３０は、リムーバブルメディア２００がリムーバブルメディア接続部１６０に接続されていることを確認する（ステップＳ１０２）。
【００７１】
原稿読取部１０３では、生成部１０２は、原稿読込開始指示に従って原稿を光学的に読み取り、該読み取りの結果を基に画像データを生成する（ステップＳ１０３）。そして、原稿読取部１０３が生成部１０２によって生成された画像データを画像処理装置１００の制御部１３０へ出力すると、制御部１３０は、原稿読取部１０３からの画像データを記憶部１４０の第１の記憶領域に記憶（蓄積）する（ステップＳ１０４）。
【００７２】
また、ファイルフォーマット処理部１５０は、設定部１１０の記憶部１１３に記憶されているパラメータに従って、記憶部１４０の第１の記憶領域に記憶された画像データについてファイルフォーマット処理を施して、記憶部１４０の第１の記憶領域に記憶し、読み込まれた全ての原稿に対応する画像データに対するファイルフォーマット処理を終了した場合は、ファイルフォーマット処理を完了した旨を制御部１３０へ通知する。
【００７３】
ファイルフォーマット処理を完了した旨の通知を受け取った制御部１３０では、転送部１３１は、記憶部１４０の第１の記憶領域から該当する画像データ（ファイルフォーマット処理後の画像データ）を読み出し、この読み出した画像データを、リムーバブルメディア接続部１６０を介して転送先装置としてのリムーバブルメディア２００へ転送する（ステップＳ１０５）。
【００７４】
リムーバブルメディア接続部１６０が転送部１３１からの画像データのリムーバブルメディア２００への転送が成功したか否かの結果を制御部１３０へ通知すると、制御部１３０は、その通知内容を基に画像データのリムーバブルメディア２００への転送が成功したか否かを判断する（ステップＳ１０６）。
【００７５】
第１の実施の形態において、画像データのリムーバブルメディアへの転送が失敗する場合としては、リムーバブルメディアの記憶容量を超えるデータ量の画像データが転送される場合、リムーバブルメディアのフォーマットが当該画像読取装置１０（の制御部１３０）で処理するフォーマットの対象外である場合、リムーバブルメディアが暗号化され画像データを書き込めない場合、リムーバブルメディアのアクセス権がなく画像データを書き込めない場合、などが挙げられる。
【００７６】
制御部１３０は、ステップＳ１０６において、画像データのリムーバブルメディア２００への転送が成功したと判断した場合は、記憶部１４０の第１の記憶領域に記憶されている転送対象の画像データを消去する（ステップＳ１０７）。次に、ジョブ履歴作成部１３２は、当該転送対象の画像データの転送にかかわるジョブに関するジョブ履歴を作成して記憶部１４０の第３の記憶領域に記憶する（ステップＳ１０８）。
【００７７】
また、制御部１３０は、ステップＳ１０６において、画像データのリムーバブルメディア２００への転送が失敗したと判断した場合は、記憶部１４０の第１の記憶領域に記憶されている転送対象の画像データ（ファイルフォーマット処理後の画像データ）をそのまま第１の記憶領域（第２の記憶領域）に保存するとともに（ステップＳ１０９）、当該画像データの転送が失敗した旨のエラーメッセージを操作パネル１０１の表示部（図示せず）に表示させる（ステップＳ１１０）。
【００７８】
エラーメッセージとしては、リムーバブルメディアの空き容量が不足している旨、リムーバブルメディアのフォーマットが規定外のフォーマットである旨、リムーバブルメディアが暗号化され画像データを書き込めない旨、リムーバブルメディアのアクセス権がなく画像データを書き込めない旨、などが挙げられる。
【００７９】
ステップＳ１１０が終了した後はステップＳ１０８に移行する。すなわち、制御部１３０では、ジョブ履歴作成部１３２は、記憶部１４０の第１の記憶領域（第２の記憶領域）に保存された画像データの保存先情報を含み当該画像データの転送にかかわるジョブに関するジョブ履歴情報を記憶部１４０の第３の記憶領域に記憶する。
【００８０】
ちなみに、ユーザは、操作パネル１０１に上記エラーメッセージが表示された場合は、リムーバブルメディア接続部１６０からリムーバブルメディア２００を取り外すことになる。
【００８１】
ところで、第１の実施の形態では、画像読取装置１０が通信回線３１０に接続されている場合、画像読取装置１０とコンピュータ３００とが通信回線３１０を介してデータ通信するようになっている。
【００８２】
そこで、ユーザは、画像データの転送に失敗したことに起因して上記エラーメッセージが操作パネル１０１の表示部に表示された場合、コンピュータ３００を操作して、当該転送に失敗した画像データを、通信回線３１０を経由してコンピュータ３００によって取得するようにする。
【００８３】
すなわち、ユーザは、コンピュータ３００の入力装置（図示せず）を操作して、通信回線３１０経由で画像読取装置１０に対しアクセスし、ジョブ履歴一覧の送信要求を行う。このジョブ履歴一覧の送信要求は、コンピュータ３００、通信回線３１０を経由して画像読取装置１０に向けて送信される。
【００８４】
次に、コンピュータ３００では、上記送信要求に応じて画像読取装置１０から送信されてくるジョブ履歴一覧を受信し、このジョブ履歴一覧を表示装置（図示せず）に表示する。そして、ユーザは、コンピュータ３００の入力装置を操作して、表示装置に表示されたジョブ一覧の中から特定のジョブ履歴の項目を選択する。この特定のジョブ履歴の項目は、コンピュータ３００、通信回線３１０を経由して画像読取装置１０に向けて送信される。
【００８５】
次に、画像読取装置１０による通信回線３１０に接続された転送先装置への画像データの転送処理について、図３を参照して説明する。
【００８６】
通信回線３１０に接続されている画像読取装置１０では、通信部１７０は、通信回線３１０を介してコンピュータ３００からのジョブ履歴一覧の送信要求を受信した場合に、その送信要求を制御部１３０へ出力する。制御部１３０では、取得部１３４は、図３に示すように、通信部１７０を介して、転送先装置としてのコンピュータ３００から送信されたジョブ履歴一覧の送信要求を取得する（ステップ２０１）。
【００８７】
実行部１３３は、取得部１３４が送信要求を取得したときは、記憶部１４０の第３の記憶領域に記憶されている一つ以上のジョブ履歴情報に関するジョブ履歴一覧を、上記送信要求元つまり転送先装置としてのコンピュータ３００へ送信するよう通信部１７０を制御する。通信部１７０は、実行部１３３からのジョブ履歴一覧を上記送信要求元（転送先装置）としてのコンピュータ３００へ送信する（ステップ２０２）。
【００８８】
また、画像読取装置１０では、通信部１７０は、通信回線３１０を介してコンピュータ３００からの特定のジョブ履歴の項目を受信した場合に、その特定のジョブ履歴の項目を制御部１３０へ出力する。制御部１３０では、取得部１３４は、通信部１７０を介して、転送先装置としてのコンピュータ３００から送信された特定のジョブ履歴の項目を取得する（ステップ２０３）。
【００８９】
実行部１３３は、取得部１３２が特定のジョブ履歴の項目を取得したときは、当該特定のジョブ履歴の項目に対応するジョブ履歴情報に含まれる上記保存先情報に基づく画像データ（ファイルフォーマット処理後の画像データ）を記憶部１４０の第１の記憶領域（第２の記憶領域）から読み出し（ステップ２０４）、該読み出した画像データを転送先装置へ転送するよう通信部１７０を制御する。通信部１７０は、実行部１３３からの画像データを上記送信要求元（転送先装置）としてのコンピュータ３００へ送信する（ステップ２０５）。
【００９０】
そして、コンピュータ３００では、画像読取装置１０から転送されてきた画像データをデフォルト設定された格納先またはユーザによって指定された格納先に格納する。
【００９１】
なお、ステップＳ２０５においては、第１の記憶領域（第２の記憶領域）から読み出された画像データのすべて（最初から最後までのデータ）が転送されるようになっている。
【００９２】
以上で、ジョブ履歴一覧の中の特定のジョブ履歴の項目が指定された場合の画像データの転送処理の説明を終了する。
【００９３】
第１の実施の形態においては、実行部１３３は、取得部１３４がジョブ履歴一覧の中の特定のジョブ履歴にかかわる画像データを転送すべき旨を取得した場合に、該当する画像データの転送処理を実施するようにしてもよい。なお、特定のジョブ履歴の詳細内容（保存先情報を含む）については後述する。
【００９４】
この場合の転送処理は、図３に示した転送処理と同様になるものの、図３のステップＳ２０３およびステップＳ２０４は次のように変更された内容になる。
【００９５】
すなわち、通信部１７０は、通信回線３１０を介してコンピュータ３００からのジョブ履歴一覧の中の特定のジョブ履歴にかかわる画像データを転送すべき旨を受信した場合に、その特定のジョブ履歴にかかわる画像データを転送すべき旨を制御部１３０へ出力する。制御部１３０では、取得部１３４は、通信部１７０を介して、転送先装置としてのコンピュータ３００から送信された特定のジョブ履歴にかかわる画像データを転送すべき旨を取得する（ステップ２０３）。
【００９６】
実行部１３３は、取得部１３４が特定のジョブ履歴にかかわる画像データを転送すべき旨を取得したときは、当該特定のジョブ履歴に対応するジョブ履歴情報に含まれる保存先情報に基づく画像データ（ファイルフォーマット処理後の画像データ）を記憶部１４０の第１の記憶領域（第２の記憶領域）から読み出す（ステップ２０４）。
【００９７】
このようにして読み出された画像データは通信部１７０によって上記送信要求元（転送先装置）としてのコンピュータ３００に向けて送信される。
【００９８】
次に、ジョブ履歴情報のデータ構造について、図４を参照して説明する。
【００９９】
ジョブ履歴情報は、図４に示すように、ジョブを識別するジョブＩＤ（ジョブ識別情報）４１０、ジョブ名（ジョブの名称）４２０、ジョブにかかわる画像データの転送処理が成功したか否かを示す結果（成功または失敗）４３０、画像データの転送先４４０、ジョブ情報４５０、格納ファイル情報４６０、および格納ファイル操作４７０の各項目から構成されたデータ構造となっている。
【０１００】
ジョブ情報４５０は、ジョブ種別４５１、転送処理の結果４５２、画像データの転送処理を依頼したユーザ４５３、および画像データの転送処理が実施された日時４５４の各項目から構成されている。
【０１０１】
格納ファイル情報４６０は、転送対象の画像データが保存されている保存先情報を示す格納パス４６１、転送対象の画像データの画像サイズ４６２、および転送対象の画像データのフォーマット４６３の各項目から構成されている。
【０１０２】
ちなみに、ジョブ情報４５０の転送処理の結果４５２に対応して「失敗」が記述されているときは、格納パス４６１に対応して記述されている内容は、記憶部１４０の第１の記憶領域（第２の記憶領域）に記憶され転送に失敗した画像データの保存先情報を意味する。
【０１０３】
格納ファイル操作４７０は、保存されている転送対象の画像データを削除する旨を指定する削除４７１、および転送に失敗した画像データを取得する旨の取得４７２の各項目から構成されている。
【０１０４】
図４に示す例において、ジョブＩＤ４１０、ジョブ名４２０、転送処理の結果４３０、転送先４４０、ジョブ情報４５０および格納ファイル情報４６０のそれぞれの各項目に対応する記述内容は、画像読取装置１０のジョブ履歴作成部１３２によって記述される。これに対し、格納ファイル操作４７０の項目の削除４７１および取得４７２に対応する記述内容（図では未記入）は、転送先装置に応じて例えばコンピュータ３００によって記述される。
【０１０５】
コンピュータ３００から画像読取装置１０へジョブ履歴一覧の送信要求が行われたときは、各ジョブ履歴が図４に示したデータ構造のジョブ履歴情報となっているジョブ履歴一覧が、画像読取装置１０からコンピュータ３００に向けて送信されるようになっている。
【０１０６】
ここで、ジョブ履歴一覧の表示の一例を図５に示す。この例では、コンピュータ３００の表示装置に表示されるジョブ履歴一覧（６つのジョブ履歴）の表示例を示している。
【０１０７】
図５に示すジョブ履歴一覧において、ジョブＩＤ５１０、ジョブ名５２０、結果（転送処理のい結果）５３０および転送先５４０の各項目は、それぞれ図４に示したジョブ履歴の構成要素であるジョブＩＤ４１０、ジョブ名４２０、転送処理の結果４３０および転送先４４０の各項目に対応する。なお、「詳細を表示」５０１の項目は、該当するジョブ履歴をさらに詳細に表示するための設定欄（特定のジョブ履歴の詳細内容を表示するための設定欄）であり、ジョブ履歴を構成する構成要素ではない。
【０１０８】
そして、ユーザは、コンピュータ３００の入力装置を操作して、６つのジョブ履歴から構成されるジョブ履歴一覧の中から例えばジョブＩＤ＝１２２に対応するジョブ履歴の項目（ジョブＩＤ＝１２２に対応する行の項目）を選択し、「ＯＫ」ボタン５０２を押下する。これにより、ジョブＩＤ＝１２２に対応するジョブ履歴の項目が特定のジョブ履歴の項目として、コンピュータ３００から画像読取装置２０に向けて送信される。
【０１０９】
また、ユーザは、コンピュータ３００の入力装置を操作して、例えばジョブＩＤ＝１２２に対応するジョブ履歴の項目（ジョブＩＤ＝１２２に対応する行の項目）における「詳細を表示」５０１に該当する設定欄を選択し、「ＯＫ」ボタン５０２を押下する。これにより、ジョブＩＤ＝１２２に対応するジョブ履歴（特定のジョブ履歴）の詳細が、コンピュータ３００の表示装置に表示される。
【０１１０】
コンピュータ３００の表示装置に表示されるジョブＩＤ＝１２２に対応するジョブ履歴（特定のジョブ履歴）の詳細内容の表示の一例を図６に示す。
【０１１１】
図６に示すジョブ履歴において、ジョブ情報５５０、格納ファイル情報５６０および格納ファイル操作５７０の各項目は、それぞれ図４に示したジョブ履歴の構成要素であるジョブ情報４５０、格納ファイル情報４６０および格納ファイル操作４７０の各項目に対応する。
【０１１２】
また、ジョブ種別５５１、転送処理の結果５５２、ユーザ５５３、日時５５４、格納パス５６１、画像サイズ５６２、フォーマット５６３、削除５７１および取得５７２の各項目は、それぞれ図４に示したジョブ種別４５１、転送処理の結果４５２、ユーザ４５３、日時４５４、格納パス４６１、画像サイズ４６２、フォーマット４６３、削除４７１および取得４７２の各項目に対応する。
【０１１３】
削除５７１の項目の削除実施５７１Ａ、取得５７２の保存先５７２Ａ、保存５７２Ｂおよび保存後にファイルを削除の設定欄５７２Ｃは、コンピュータ３００によって記述される。
【０１１４】
削除実施５７１Ａは、画像読取装置１０に保存されている転送に失敗した画像データをコンピュータ３００に転送することなく削除する場合に指定するためのものである。
【０１１５】
保存先５７２Ａは、画像読取装置１０に保存されている転送に失敗した画像データをコンピュータ３００に転送する場合のコンピュータ３００での保存先とファイル名を指定するためのものである。
【０１１６】
保存５７２Ｂは、画像読取装置１０に保存されている転送に失敗した画像データをコンピュータ３００に転送する場合に指定するためのものである。
【０１１７】
保存後にファイルを削除の指定欄５７２Ｃは、画像読取装置１０に保存されている転送に失敗した画像データを保存先５７２Ａに指定されたコンピュータ３００での保存先に保存した後に、当該転送に失敗した画像データを画像読取装置１０（の記憶部１４０）から削除する場合に指定するためのものである。
【０１１８】
ユーザは、画像読取装置１０に保存されている転送に失敗した画像データをコンピュータ３００に転送することなく削除する場合、コンピュータ３００の入力装置を操作して、格納ファイル操作５７０の削除５７１を選択し、その後、「ＯＫ」ボタン５０３を押下する。
【０１１９】
これにより、ジョブＩＤ１２２のジョブ履歴における例えば格納ファイル情報５６０の項目の格納パス５６１に記述されている保存先情報に基づく画像データを転送することなく、当該画像データを削除する旨が、コンピュータ３００から画像読取装置１０に向けて送信される。
【０１２０】
上記画像データを削除する旨を受け取った画像読取装置１０では、制御部１３０は、格納ファイル情報５６０の項目の格納パス５６１に記述されている保存先情報に基づく画像データを記憶部１４０の第１の記憶領域（第２の記憶領域）から削除する。
【０１２１】
一方、ユーザは、画像読取装置１０に保存されている転送に失敗した画像データをコンピュータ３００に転送する場合、コンピュータ３００の入力装置を操作して、格納ファイル操作５７０の取得５７２において、保存先５７２Ａに保存先を指定し、また保存５７２Ｂを選択し、さらには転送に失敗した画像データを保存先５７２Ａに指定されたコンピュータ３００での保存先に保存した後に、当該転送に失敗した画像データを画像読取装置１０（の記憶部１４０）から削除する場合は、指定欄５７２Ｃをチェックし、その後、「ＯＫ」ボタン５０３を押下する。
【０１２２】
上述したユーザによる操作は、特定のジョブ履歴例えばジョブＩＤ１２２のジョブ履歴にかかわる画像データを転送すべき旨を指示したことになる。
【０１２３】
これにより、ジョブＩＤ１２２のジョブ履歴における例えば格納ファイル情報５６０の項目の格納パス５６１に記述されている保存先情報に基づく画像データを転送すべき旨と、指定欄５７２Ｃがチェックされている場合は保存後にファイルを削除する旨とがコンピュータ３００から画像読取装置１０に向けて送信される。
【０１２４】
上記画像データを転送すべき旨および保存後にファイルを削除する旨を受け取った画像読取装置１０では、実行部１３３は、格納ファイル情報５６０の項目の格納パス５６１に記述されている保存先情報に基づく画像データを記憶部１４０の第１の記憶領域（第２の記憶領域）から読み出し、この読み出した画像データを、通信部１７０に渡してコンピュータ３００へ送信するよう指示する。通信部１７０は、実行部１３３の制御の下、渡された画像データをコンピュータ３００に向けて送信する。
【０１２５】
また、上述したようにして実行部１３３による画像データの転送処理が完了すると（転送処理が成功した場合）、制御部１３０は、格納ファイル情報５６０の項目の格納パス５６１に記述されている保存先情報に基づく画像データを記憶部１４０の第１の記憶領域（第２の記憶領域）から削除する。
【０１２６】
なお、第１の実施の形態では、ユーザが、図６に示す格納ファイル操作５７０の削除５７１および取得５７２の何れに対しても指定（設定）を行わず、「ＯＫ」ボタン５０３を押下した場合は、デフォルトとして、ジョブＩＤ１２２のジョブ履歴における例えば格納ファイル情報５６０の項目の格納パス５６１に記述されている保存先情報に基づく画像データを転送すべき旨と、保存後にファイルを削除する旨とがコンピュータ３００から画像読取装置１０に向けて送信されるようになっている。
【０１２７】
以上説明したように、第１の実施の形態では、画像読取装置１０の制御部１３０（の転送部１３１）による原稿に対応する画像データのリムーバブルメディアへの転送に失敗した場合、画像読取装置１０の制御部１３０（の実行部１３３）は、当該画像データをリムーバブルメディアとは異なる転送先装置例えばコンピュータへ転送する。
【０１２８】
（第２の実施の形態）
【０１２９】
次に、第２の実施の形態に係わる画像読取装置について説明する。
【０１３０】
第２の実施の形態の画像読取装置は、図１に示した第１の実施の形態の画像読取装置１０と同様の構成になっており、また原稿に対応する画像データの蓄積処理および転送処理も、図２に示した画像読取装置１０による画像データの蓄積処理および転送処理と同様になっている。
【０１３１】
このような画像読取装置は、第１の実施の形態とは、原稿に対応する画像データについてリムーバブルメディアへの転送に失敗した場合に、リムーバブルメディア接続部１６０に再度、接続（装着）された新規のリムーバブルメディアに対し、転送に失敗した画像データを転送する点で相違する。
【０１３２】
次に、画像読取装置１０による画像データの新規のリムーバブルメディアへの転送処理について、図７を参照して説明する。
【０１３３】
ユーザは、転送に失敗したリムーバブルメディア２００をリムーバブルメディア接続部１６０から取り外し、新規のリムーバブルメディアをリムーバブルメディア接続部１６０に接続する。
【０１３４】
この場合、新規のリムーバブルメディアは、取り外されたリムーバブルメディア２００とは異なるリムーバブルメディア、または取り外されたリムーバブルメディア２００に対し、エラーメッセージの内容の事象を解決した後（転送が成功するように対策を施した後）の当該リムーバブルメディア２００である。
【０１３５】
ちなみに、ユーザは、取り外したリムーバブルメディア２００をリムーバブルメディア接続部１６０に再度接続する場合、エラーメッセージが例えばリムーバブルメディアの空き容量が不足している旨のときは、例えばコンピュータ３００を使用して、転送に失敗したリムーバブルメディア２００に記憶されている不要のファイル（データ）を削除し、転送に失敗した画像データを記憶するための空き容量を確保した後、当該リムーバブルメディア２００をリムーバブルメディア接続部１６０に接続するようにする。
【０１３６】
次に、ユーザは、画像読取装置１０の操作パネル１０１の入力部を操作して、ユーザインタフェース画面を操作パネル１０１の表示部に表示させるとともに、この表示されたユーザインタフェース画面に含まれるジョブ履歴一覧の項目を選択して、ジョブ履歴一覧の提示要求を行う。この提示要求は、操作パネル１０１から設定部１１０に与えられる。
【０１３７】
さらに、ユーザは、上記提示要求に応じて操作パネル１０１の表示部に表示されるジョブ履歴一覧の中から特定のジョブ履歴の項目を選択する。この特定のジョブ履歴の項目は、操作パネル１０１から設定部１１０に与えられる。
【０１３８】
さて、画像読取装置１０では、制御部１３０は、原稿に対応する画像データのリムーバブルメディア２００への転送処理に失敗した場合に、図２のステップＳ１０９，Ｓ１１０，ＳＳ１０８を終了した後に、転送に失敗したリムーバブルメディア２００がリムーバブルメディア接続部１６０から取り外され、新規のリムーバブルメディアがリムーバブルメディア接続部１６０に接続されたことを確認する（ステップＳ３０１）。
【０１３９】
次に、設定部１１０では、第１の受付部１１１は、操作パネル１０１から出力されたジョブ履歴一覧の提示要求を受け付けると（ステップＳ３０２）、その提示要求を制御部１３０へ通知する。
【０１４０】
制御部１３０では、実行部１３３は、設定部１１０の第１の受付部１１１が提示要求を受け付けたときは（第１の設定部１１１からの提示要求を受け取ったときは）、記憶部１４０の第３の記憶領域に記憶されている一つ以上のジョブ履歴情報に関するジョブ履歴一覧（図５参照）を、操作パネル１０１の表示部に表示（ユーザに対し提示）させる（ステップ３０３）。
【０１４１】
その後、設定部１１０では、第２の受付部１１２は、操作パネル１０１から出力された特定のジョブ履歴の項目を受け付けると（ステップＳ３０４）、その特定のジョブ履歴の項目を制御部１３０へ通知する。
【０１４２】
制御部１３０では、実行部１３３は、設定部１１０の第２の受付部１１２が特定のジョブ履歴の項目を受け付けたときは（第２の受付部１１２からの特定のジョブ履歴の項目を受け取ったときは）、特定のジョブ履歴の項目に対応するジョブ履歴情報に含まれる画像データの保存先情報に基づく画像データ（ファイルフォーマット処理後の画像データ）を記憶部１４０の第１の記憶領域（第２の記憶領域）から読み出す（ステップ３０５）。
【０１４３】
次に、実行部１３３は、上記読み出した画像データを、リムーバブルメディア接続部１６０を介して転送先装置としての新規のリムーバブルメディアへ転送（再転送）する処理を実行する（ステップ３０６）。
【０１４４】
なお、ステップＳ３０６においては、第１の記憶領域（第２の記憶領域）から読み出された画像データのすべて（最初から最後までのデータ）が転送（再転送）されるようになっている。
【０１４５】
このようにして実行部１３３による画像データの再転送が成功した場合、制御部１３０は、上記保存先情報に基づく画像データを記憶部１４０の第１の記憶領域（第２の記憶領域）から削除する。
【０１４６】
以上で、ジョブ履歴一覧の中の特定のジョブ履歴の項目が指定された場合の画像データの転送処理の説明を終了する。
【０１４７】
第２の実施の形態においては、実行部１３３は、取得部１３４がジョブ履歴一覧の中の特定のジョブ履歴の詳細内容（保存先情報を含む）に対応してユーザによって指示される当該特定のジョブ履歴にかかわる画像データを転送すべき旨を取得した場合に、該当する画像データの転送処理を実施するようにしてもよい。
【０１４８】
この場合の転送処理は、図７に示した転送処理と同様になるものの、図７のステップＳ３０４およびステップＳ３０５は次のように変更された内容になる。
【０１４９】
設定部１１０では、第２の受付部１１２は、操作パネル１０１から出力された特定のジョブ履歴にかかわる画像データを転送すべき旨を受け付けると（ステップＳ３０４）、その特定のジョブ履歴にかかわる画像データを転送すべき旨を制御部１３０へ通知する。
【０１５０】
制御部１３０では、実行部１３３は、設定部１１０の第２の受付部１１２が特定のジョブ履歴にかかわる画像データを転送すべき旨を受け付けたときは（第２の受付部１１２からの特定のジョブ履歴にかかわる画像データを転送すべき旨を受け取ったときは）、特定のジョブ履歴に対応するジョブ履歴情報に含まれる保存先情報に基づく画像データ（ファイルフォーマット処理後の画像データ）を記憶部１４０の第１の記憶領域（第２の記憶領域）から読み出す（ステップ３０５）。
【０１５１】
このようにして読み出された画像データは、実行部１３３によって転送先装置としての新規のリムーバブルメディアに向けて転送（再転送）される。
【０１５２】
第２の実施の形態においても、ユーザが、操作パネル１０１の表示部に表示されたジョブ履歴一覧の特定のジョブ履歴の項目における「詳細を表示」５０１に該当する設定欄を選択し、「ＯＫ」ボタン５０２を押下した場合、ジョブＩＤ＝１２２に対応するジョブ履歴（特定のジョブ履歴）の詳細が、操作パネル１０１の表示部に表示される。この場合、格納ファイル操作５７０の項目の保存先５７２Ａには、新規のリムーバブルメディアでの保存先が記述される。
【０１５３】
そして、ユーザが、図６に示す表示画面に対してコンピュータ３００の場合と同様の操作を行った場合、制御部１３０は、その操作内容に応じて、次の（１）から（３）の処理を実施する。
【０１５４】
（１）制御部１３０は、格納ファイル情報５６０の項目の格納パス５６１に記述されている保存先情報に基づく画像データを記憶部１４０の第１の記憶領域（第２の記憶領域）から削除する。
【０１５５】
（２）制御部１３０の実行部１３３は、格納ファイル情報５６０の項目の格納パス５６１に記述されている保存先情報に基づく画像データを記憶部１４０の第１の記憶領域（第２の記憶領域）から読み出し、この読み出した画像データを、リムーバブルメディア接続部１６０を介して新規のリムーバブルメディアへ転送する。
【０１５６】
（３）指定欄５７２Ｃがチェックされている場合、制御部１３０の実行部１３３は上記（２）の処理を実施する。その後、制御部１３０は、画像データの転送処理が成功したときは、格納ファイル情報５６０の項目の格納パス５６１に記述されている保存先情報に基づく画像データを記憶部１４０の第１の記憶領域（第２の記憶領域）から削除する。
【０１５７】
以上説明したように、第２の実施の形態では、画像読取装置１０の制御部１３０（の転送部１３１）による原稿に対応する画像データのリムーバブルメディアへの転送に失敗した場合、画像読取装置１０の制御部１３０（の実行部１３３）は、当該画像データを新規のリムーバブルメディアへ転送（再転送）する。
【０１５８】
次に、上述した第１の実施の形態および第２の実施の形態の画像読取装置１０のハードウェア構成について、図８を参照して説明する。
【０１５９】
画像読取装置１０は、図８に示すように、ＣＰＵ１１、記憶装置１２、ＲＯＭ１３、ＲＡＭ１４、操作パネル１５、インタフェース１６Ａ〜１６Ｃ、インタフェース１６Ａに接続されたスキャナ１７を有している。スキャナ１７を除くこれら各構成要素はシステムバス１８（図１に示したシステムバス１０４に対応）に接続されている。
【０１６０】
記憶装置１２は、例えばハードディスクであり、図１に示した設定部１１０（記憶部１１３を除く）、画像処理部１２０、制御部１３０、ファイルフォーマット生成部１５０の各機能を実現するためのソフトウェア（プログラム）、図２に示した蓄積処理および転送処理の処理手順に対応するソフトウェア（プログラム）、図３に示した転送処理の処理手順に対応するソフトウェア（プログラム）あるいは図７に示した転送処理の処理手順に対応するソフトウェア（プログラム）、画像処理プログラム１２Ａなどインストールされた各種のプログラムを記憶している。
【０１６１】
画像処理プログラム１２Ａは、図１に示した設定部１１０の第１の受付部１１１および第２の受付部１１２、制御部１３０（制御部１３０の各構成要素１３１〜１３４）の各機能を実現するためのソフトウェア（プログラム）を含んでいる。なお、制御部１３０において、転送部１３１は転送処理過程を実行し、制御部１３０は保存処理過程を実行し、ジョブ履歴情報生成部１３２は記憶処理過程を実行し、実行部１３４は実行処理過程を実行する。
【０１６２】
ＲＯＭ１３は、読み出し専用メモリであり、リムーバブルメディア接続部１６０が当該接続部に接続されたリムーバブルメディアと通信するための第１の通信プロトコル情報、通信部１７０が通信回線３１０を介して例えばコンピュータ３００と通信するための第２の通信プロトコル情報、ファイルフォーマット生成部１５０がファイルフォーマット処理を実施するためのファイルフォーマットに関する情報などを記憶している。
【０１６３】
ＲＡＭ１４は、随時書き込み読み出しメモリであり、記憶装置１２から読み込まれた画像処理プログラム１２Ａを含むプログラムやデータ、ＲＭ１３から読み込まれた第１の通信プロトコル情報、第２の通信プロトコル情報、ファイルフォーマットに関する情報を記憶する。
【０１６４】
また、ＲＡＭ１４は、図１に示した記憶部１１３および記憶部１４０の機能を果たすものであり、操作パネル１０１からのパラメータ、原稿読取部１０３からの画像データ、ファイルフォーマット処理後の画像データ、転送に失敗した画像データなどを記憶する。このようなＲＡＭ１４には、上述した第１の記憶領域、第２の記憶領域および第３の記憶領域が割り当てられている。
【０１６５】
操作パネル１５は、図１に示した操作パネル１０１に対応する。
【０１６６】
スキャナ１７は、図１に示した原稿読取部１０３に対応するものであり、読取対象の原稿を光学的に読み取り、該読み取りの結果を基に画像データを生成し、この生成した画像データを、インタフェース１６Ａを介してＣＰＵ１１へ出力する。
【０１６７】
インタフェース１６Ｂは、データ通信を実行するＣＰＵ（中央演算処理装置）を備え、図１に示したリムーバブルメディア接続部１６０に対応する。このようなインタフェース１６Ｂは、ＲＯＭ１３からＲＡＭ１４へ上記第１の通信プロトコル情報を読み込んで実行することにより、リムーバブルメディア２００とのデータ通信を行う。
【０１６８】
インタフェース１６Ｃは、データ通信を実行するＣＰＵ（中央演算処理装置）を備え、図１に示した通信部１７０に対応する。このようなインタフェース１６Ｃは、ＲＯＭ１３からＲＡＭ１４へ上記第２の通信プロトコル情報を読み込んで実行することにより、通信回線３１０を介してコンピュータ３００とのデータ通信を行う。
【０１６９】
ＣＰＵ１１は、中央演算処理装置であり、記憶装置１２からＲＡＭ１４へ、画像処理プログラム１２Ａを含むプログラムを読み込んで実行することにより、上述した設定部１１０の第１の受付部１１１および第２の受付部１１２、制御部１３０、ファイルフォーマット生成部１５０の各機能を実現するとともに、画像処理プログラム１２Ａに対応する処理機能を実現する。また、ＣＰＵ１１は画像読取装置１０全体を制御する。
【０１７０】
なお、図８において、ＣＰＵ１１、記憶装置１２、ＲＯＭ１３、ＲＡＭ１４、インタフェース１６Ｂ，１６Ｃは、図１に示した画像処理装置１００のハードウェア構成の要素となる。
【０１７１】
ところで、図８に示した画像読取装置１０では、ＲＡＭ１４には上述した第１の記憶領域、第２の記憶領域および第３の記憶領域が割り当てられるようになっているが、これに限定されることなく、記憶装置１２に上述した第１の記憶領域、第２の記憶領域および第３の記憶領域を割り当てるようにしてもよい。また、上述した第１の記憶領域、第２の記憶領域および第３の記憶領域の一部の記憶領域を記憶装置１２に割り当て、残りの他の記憶領域をＲＡＭ１４に割り当てるようにしてもよい。
【０１７２】
（第３の実施の形態）
【０１７３】
次に、第３の実施の形態に係わる画像形成装置について説明する。
【０１７４】
画像形成装置６００は、図９に示すように、画像処理装置６１０と画像読取装置６２０と画像出力装置６３０と操作パネル６４０とを備えている。
【０１７５】
画像処理装置６１０は、図１に示した第１の実施の形態の画像処理装置１００においてインタフェース６１１〜６１３を追加した構成になっている。なお、図９において、図１に示した構成要素と同様の機能を果たす部分には同一の符号を付す。
【０１７６】
インタフェース６１１は、画像読取装置６２０とのデータ通信を行う。
【０１７７】
インタフェース６１２は、画像出力装置６３０とのデータ通信を行う。
【０１７８】
インタフェース６１３は、操作パネル６４０とのデータ通信を行う。
【０１７９】
上述した画像処理装置６１０は、画像処理装置１００と同様の機能を有しており、図２に示した第１の実施の形態での画像処理装置１００による蓄積処理および転送処理と、図３に示した画像処理装置１００による転送処理または図７に示した第２の実施の形態での画像処理装置１００による転送処理（再転送）とを実行する。
【０１８０】
操作パネル６４０は、図１に示した操作パネル１０１と同様の機能を有している。
【０１８１】
画像読取装置６２０は、生成部６２１を有する画像読取部６２２を備えている。生成部６２１および原稿読取部６２２は、それぞれ図１に示した生成部１０２および原稿読取部１０３と同様の機能を有している。第３の実施の形態では、生成部６２１は、生成手段の機能を果たすものである。
【０１８２】
画像出力装置６３０は画像形成部６３１を備えており、画像形成部６３１は、画像形成手段の機能を果たすものであり、コンピュータ３００から出力され印刷要求されたデータまたは画像処理装置６１０によって処理されたデータに基づき画像を形成する。
【０１８３】
次に、画像形成装置６００の処理について説明する。
【０１８４】
まず、ユーザは、リムーバブルメディア２００を画像形成装置６００のリムーバブルメディア接続部１６０に接続（装着）するとともに、読取対象の原稿を画像読取装置６２０の図示しない原稿台に載せる。その後、ユーザは、操作パネル６４０を操作して、原稿に対応する画像データを転送先装置としてのリムーバブルメディア２００へ転送させる旨の画像データ転送指示、原稿を読み込ませる旨の原稿読込開始指示を行う。
【０１８５】
上記画像データ転送指示は、操作パネル６４０から画像処理装置６１０に向けて出力される。また、原稿読込開始指示は、操作パネル６４０から画像処理装置６１０に向けて出力され、さらに画像処理装置６１０から画像読取装置６２０に向けて出力される。
【０１８６】
原稿読込開始指示を受け付けた画像読取装置６２０において、原稿読取部６２２では、生成部６２１は、原稿読込開始指示に従って原稿を光学的に読み取り、該読み取りの結果を基に画像データを生成する。そして原稿読取部６２２は、生成部６２１によって生成された画像データを画像処理装置６１０へ出力する。
【０１８７】
そして、操作パネル６４０からの上記画像データ転送指示を受け取るとともに画像読取装置６２０（の原稿読取部６２２）からの画像データを受け取った画像処理装置６１０は、図２に示した第１の実施の形態での画像処理装置１００による蓄積処理および転送処理と同様の処理を実施するとともに、図３に示した画像処理装置１００による転送処理または図７に示した第２の実施の形態での画像処理装置１００による転送処理（再転送）と同様の処理を実施する。
【０１８８】
以上本発明者によってなされた発明を実施の形態に基づき具体的に説明したが、本明細書で開示された実施の形態はすべての点で例示であって、開示された技術に限定されるものではないと考えるべきである。すなわち、本発明の技術的な範囲は、前記の実施の形態における説明に基づいて制限的に解釈されるものでなく、あくまでも特許請求の範囲の記載に従って解釈されるべきであり、特許請求の範囲の記載技術と均等な技術および特許請求の範囲の要旨を逸脱しない限りにおけるすべての変更が含まれる。
【０１８９】
また、プログラムを用いる場合には、ネットワークを介して提供し、或いはＣＤ−ＲＯＭ等の記憶媒体に格納して提供してもよい。
【０１９０】
すなわち、画像処理プログラムを含むプログラムをハードディスク等の記憶装置に記録する場合に限らず、当該プログラムを次のようにして提供してもよい。
【０１９１】
たとえば、プログラムをＲＯＭに格納しておき、ＣＰＵが、このプログラムをこのＲＯＭから主記憶装置へローディングして実行するようにしてもよい。
【０１９２】
また、上記プログラムを、ＤＶＤ−ＲＯＭ、ＣＤ−ＲＯＭ、ＭＯ（光磁気ディスク）、フレキシブルディスク、などのコンピュータ読み取りされる記憶媒体に格納して配布するようにしてもよい。
【０１９３】
さらには、画像処理装置（画像読取装置）等を通信回線（例えばインターネット）を介してサーバ装置あるいはホストコンピュータと接続するようにし、サーバ装置あるいはホストコンピュータから上記プログラムをダウンロードした後、このプログラムを実行するようにしてもよい。この場合、このプログラムのダウンロード先としては、ＲＡＭ等のメモリやハードディスクなどの記憶装置（記憶媒体）が挙げられる。
【産業上の利用可能性】
【０１９４】
本発明の画像読取装置は、モノクロ画像またはカラー画像の原稿に対応する画像データをリムーバブルメディアに転送する画像処理装置を有する画像読取装置に適用してもよい。
【０１９５】
また、本発明の画像形成装置は、トナーを用いて画像形成する画像形成装置または吐出されたインクで画像形成するインクジェット形式の画像形成装置に適用してもよい。
【符号の説明】
【０１９６】
１０  ，６２０画像読取装置
１１  ＣＰＵ
１２  記憶装置
１２Ａ  画像処理プログラム
１３  ＲＯＭ
１４  ＲＡＭ
１５，１０１，６４０  操作パネル
１６Ａ〜１６Ｃ  インタフェース
１７  スキャナ
１００，６１０  画像処理装置
１０２  生成部
１０３  原稿読取部
１１０  設定部
１１１  第１の受付部
１１２  第２の受付部
１１３  記憶部
１２０  画像処理部
１３０  制御部
１３１  転送部
１３２  ジョブ履歴作成部
１３３  実行部
１３４  取得部
１４０  記憶部
１５０  ファイルフォーマット生成部
１６０  リムーバブルメディア接続部
１７０  通信部
２００  リムーバブルメディア
３００  コンピュータ
３１０  通信回線
６００  画像形成装置
６３０  画像出力装置
６３１  画像形成部
【図１】
2011029681.tif 000003
【図２】
2011029681.tif 000004
【図３】
2011029681.tif 000005
【図４】
2011029681.tif 000006
【図５】
2011029681.tif 000007
【図６】
2011029681.tif 000008
【図７】
2011029681.tif 000009
【図８】
2011029681.tif 000010
【図９】
2011029681.tif 000011